(57)【要約】【課題】画素と操作ラインが千鳥状に接続された千鳥方式の液晶パネルにおいて、信号ドライバの占有面積を縮小する。【解決手段】信号ラインを駆動する信号ドライバ２００は、第１のラッチ信号により表示データの１ライン分を取り込んで保持し出力する第１の画像信号保持手段と、第２のラッチ信号により第１の画像信号保持手段の奇数番目の出力を取り込み出力するフリップフロップと第３のラッチ信号により偶数番目の出力を取り込み出力するフリップフロップとを含む第２の画像信号保持手段と、を有して構成される。これにより、従来は奇数番目出力用と偶数番目出力用とで別々に設けていた信号ドライバを１個に統合できる。【選択図】      図１
2005070294.tif 000002
【特許請求の範囲】
【請求項１】
複数の液晶画素を行方向及び列方向に接続する複数の信号ライン及び走査ラインがマトリックス状に配列され、前記複数の液晶画素は前記走査ラインを中心に千鳥状に接続された千鳥液晶パネルと、前記信号ラインに画像信号を印加する信号ドライバと、所定の走査信号を順次シフトさせて印加し前記走査ラインを順次選択する走査ドライバとを備えた液晶表示装置において、前記信号ドライバは、表示データである画像信号の１ライン分の画像信号を第１のラッチ信号により保持し出力する第１の画像信号保持手段と、前記第１の画像保持手段から出力された前記１ライン分の画像信号を保持し第２のラッチ信号により前記１ライン分の画像信号の奇数番目の画像信号を奇数番目の信号ラインに出力し、第３のラッチ信号により前記１ライン分の画像信号の偶数番目の画像信号を偶数番目の信号ラインに出力する第２の画像信号保持手段を有することを特徴とする液晶表示装置。
【請求項２】
前記第２の画像信号保持手段は、前記第１の画像保持手段から出力された前記１ライン分の画像信号を保持し第２のラッチ信号により前記１ライン分の画像信号の偶数番目の画像信号を偶数番目の信号ラインに出力し、第３のラッチ信号により前記１ライン分の画像信号の奇数番目の画像信号を奇数番目の信号ラインに出力することを特徴とする請求項１記載の液晶表示装置。
【請求項３】
請求項１記載の液晶表示装置の駆動方法であって、所望の表示データの１ライン分の画像信号を保持し、走査ラインを順次走査し前記走査ラインの奇数番目の走査ラインを選択した場合、前記保持された画像信号の奇数番目の画像信号により選択される複数の液晶画素を表示しかつ前記保持された画像信号の偶数番目の画像信号により選択される複数の液晶画素を表示する第１のステップと、前記走査ラインの偶数番目の走査ラインを選択した場合、前記保持された画像信号の偶数番目の画像信号により選択される複数の液晶画素を表示しかつ前記保持された画像信号の奇数番目の画像信号により選択される複数の液晶画素を表示する第２のステップを有し、前記第１のステップと前記第２のステップとを順次繰り返すことにより、液晶画面に所望の画像を表示することを特徴とする液晶表示装置の駆動方法。
【請求項４】
請求項２記載の液晶表示装置の駆動方法であって、所望の表示データの１ライン分の画像信号を保持し、走査ラインを順次走査し前記走査ラインの奇数番目の走査ラインを選択した場合、前記保持された画像信号の偶数番目の画像信号により選択される複数の液晶画素を表示しかつ前記保持された画像信号の奇数番目の画像信号により選択される複数の液晶画素を表示する第１のステップと、前記走査ラインの偶数番目の走査ラインを選択した場合、前記保持された画像信号の奇数番目の画像信号により選択される複数の液晶画素を表示しかつ前記保持された画像信号の偶数番目の画像信号により選択される複数の液晶画素を表示する第２のステップを有し、前記第１のステップと前記第２のステップとを順次繰り返すことにより、液晶画面に所望の画像を表示することを特徴とする液晶表示装置の駆動方法。
【請求項５】
複数の液晶画素を行方向及び列方向に接続する複数の信号ライン及び走査ラインがマトリックス状に配列され、前記複数の液晶画素はＲＧＢからなるピクセルであり前記走査ラインを中心に少なくとも１ピクセル単位に千鳥状に接続された千鳥液晶パネルと、前記信号ラインに画像信号を印加する信号ドライバと、所定の走査信号を順次シフトさせて印加し前記走査ラインを順次選択する走査ドライバとを備えた液晶表示装置において、前記信号ドライバは、表示データである画像信号の１ライン分の画像信号を第１のラッチ信号により保持し出力する第１の画像信号保持手段と、前記第１の画像保持手段から出力された前記１ライン分の画像信号を保持し第２のラッチ信号により前記１ライン分の画像信号の奇数番目のピクセルの画像信号を奇数番目の信号ラインに出力し、第３のラッチ信号により前記１ライン分の画像信号の偶数番目のピクセルの画像信号を偶数番目の信号ラインに出力する第２の画像信号保持手段を有することを特徴とする液晶表示装置。
【請求項６】
前記第２の画像信号保持手段は、前記第１の画像保持手段から出力された前記１ライン分の画像信号を保持し第２のラッチ信号により前記１ライン分の画像信号の偶数番目のピクセルの画像信号を偶数番目の信号ラインに出力し、第３のラッチ信号により前記１ライン分の画像信号の奇数番目のピクセルの画像信号を奇数番目の信号ラインに出力することを特徴とする請求項５記載の液晶表示装置。
【請求項７】
請求項５記載の液晶表示装置の駆動方法であって、所望の表示データの１ライン分の画像信号を保持し、走査ラインを順次走査し前記走査ラインの奇数番目の走査ラインを選択した場合、前記保持された画像信号の奇数番目のピクセルの画像信号により選択される複数の液晶画素を表示しかつ前記保持された画像信号の偶数番目のピクセルの画像信号により選択される複数の液晶画素を表示する第１のステップと、前記走査ラインの偶数番目の走査ラインを選択した場合、前記保持された画像信号の偶数番目のピクセルの画像信号により選択される複数の液晶画素を表示しかつ前記保持された画像信号の奇数番目のピクセルの画像信号により選択される複数の液晶画素を表示する第２のステップを有し、前記第１のステップと前記第２のステップとを順次繰り返すことにより、液晶画面に所望の画像を表示することを特徴とする液晶表示装置の駆動方法。
【請求項８】
請求項６記載の液晶表示装置の駆動方法であって、所望の表示データの１ライン分の画像信号を保持し、走査ラインを順次走査し前記走査ラインの奇数番目の走査ラインを選択した場合、前記保持された画像信号の偶数番目のピクセルの画像信号により選択される複数の液晶画素を表示しかつ前記保持された画像信号の奇数番目のピクセルの画像信号により選択される複数の液晶画素を表示する第１のステップと、前記走査ラインの偶数番目の走査ラインを選択した場合、前記保持された画像信号の奇数番目のピクセルの画像信号により選択される複数の液晶画素を表示しかつ前記保持された画像信号の偶数番目のピクセルの画像信号により選択される複数の液晶画素を表示する第２のステップを有し、前記第１のステップと前記第２のステップとを順次繰り返すことにより、液晶画面に所望の画像を表示することを特徴とする液晶表示装置の駆動方法。
【請求項９】
前記第２のラッチ信号のラッチタイミングは前記第１のラッチ信号のラッチタイミングよりも遅く、前記第３のラッチ信号は前記第１のラッチ信号のラッチタイミングよりも早いことを特徴とする請求項１または５記載の液晶表示装置。
【請求項１０】
前記第２のラッチ信号のラッチタイミングは前記第１のラッチ信号のラッチタイミングよりも早く、前記第３のラッチ信号は前記第１のラッチ信号のラッチタイミングよりも遅いことを特徴とする請求項２または６記載の液晶表示装置。
【発明の詳細な説明】
【技術分野】
【０００１】
本発明は、液晶表示装置に関し、特に千鳥パネルを有する液晶表示装置、及びその駆動方法に関する。
【背景技術】
【０００２】
近年の液晶パネルの高精細化の流れを受け、図１７の通常の液晶パネルより高画質な図１８の千鳥方式の液晶パネルが実用化されている。
千鳥方式の液晶パネルは、図１８のように液晶画素と走査ライン（ゲートライン）の接続が通常の液晶パネルとは異なり、液晶画素がマトリックス状に配列されかつ走査ラインを中心に上下に千鳥状に走査ラインと接続されている。そのため、千鳥方式の液晶パネルの駆動方法も通常の液晶パネルと異なり、信号ラインから液晶画素に表示データ（電圧）を供給する際、隣り合う信号ラインは、それぞれ異なる走査ラインに表示データを供給する必要がある為、すべての信号ラインに同じ走査ラインの表示データを供給する通常の液晶パネルの信号ドライバでは千鳥方式の液晶パネルを駆動することができない。
【０００３】
そこで、従来は２つの信号ドライバを用いて、隣り合う信号ラインから異なる走査ラインの表示データを供給し、千鳥方式の液晶パネルを駆動していた。
【０００４】
図５は、その従来の千鳥方式の液晶パネルを駆動する液晶表示装置のブロック図である。図５を参照すると、従来の液晶表示装置の要部は、液晶パネル１０と、２つの信号ドライバ２０ａ、２０ｂと、１つの走査ドライバ３０で構成されている。液晶パネル１０は、信号ドライバ２０ａからの信号ラインＤＬ１，ＤＬ３、…と、信号ドライバ２０ｂからの信号ラインＤＬ２、ＤＬ４…で交互に接続され、走査ドライバ３０からは走査ラインＳＬ１、ＳＬ２、ＳＬ３…によって接続され、液晶パネル１０に表示する表示データ（従来技術の「入力データ」と同意）は画像信号Ｄ００−Ｄ０７、Ｄ１０−Ｄ１７、Ｄ２０−Ｄ２７によって信号ドライバ２０ａ、２０ｂに入力されている。走査ドライバ３０は、走査ラインを１本ずつ駆動することで走査ラインＳＬ１、ＳＬ２、ＳＬ３…に接続された液晶パネル１０の画素のスイッチを開かせ、その際、信号ドライバ２０ａは奇数番目の画素に繋がる信号ラインＤＬ１，ＤＬ３、…に表示データに対応した電圧を出力し、信号ドライバ２０ｂは偶数番目の画素に繋がる信号ラインＤＬ２、ＤＬ４…に表示データに対応した電圧を出力することで液晶パネル１０に画像を表示させている。
【０００５】
図６は、従来の信号ドライバ２０ａ、２０ｂのブロック構成図であり、表示する表示データが液晶パネル１０に出力されるまでの流れを示した図でもある。図６を参照すると、従来の信号ドライバは、表示データラッチ回路５０と、レベルシフタ回路６０と、Ｄ／Ａコンバータ回路７０と、出力バッファ８０で構成されている。
【０００６】
次に、図７は、表示データラッチ回路５０の回路構成を示した図である。図７を参照すると、表示データラッチ回路５０は、液晶表示回路装置の記憶装置またはシフトレジスタからの表示データと、ラッチパルスＬＰにより表示する入力データをレベルシフト回路６０に出力するように構成されている。
【０００７】
次に、図８は、図６の信号ドライバ２０ａ、２０ｂにおける動作を示したタイミングチャートである。まず信号ドライバ２０ａの動作について説明する。図６、図７、図８を参照し、信号ドライバの動作説明をする。液晶表示装置の記憶装置またはシフトレジスタからの表示データは、信号ドライバ２０ａの表示データラッチ回路５０のフリップフロップ群７７に保持され、ラッチパルスＬＰによってレベルシフト回路６０に出力される。出力された表示データは、Ｄ／Ａコンバータ７０に入力するために駆動電源レベルに電圧をレベルシフトするレベルシフタ６０を通される。レベルシフトされた表示データを入力されたＤ／Ａコンバータ７０は表示データに応じた表示階調電圧を選択し、出力バッファ８０に出力する。出力バッファ８０は、Ｄ／Ａコンバータ７０から入力された電圧を出力バッファ８０でバッファリングして信号ラインＤＬ１，ＤＬ３、…を介して奇数信号ライン表示データを液晶パネル１０へ出力する。
【０００８】
前述と同様に表示データは、信号ドライバ２０ｂにおいて、信号ラインＤＬ２、ＤＬ４…を介して偶数信号ライン表示データとして液晶パネル１０に出力される。液晶パネル１０に出力された奇数信号ライン表示データ、及び偶数信号ライン表示データ（電圧）は、走査ドライバ３０によって選択された液晶画素に印加され、液晶パネル１０の表示色が決まることになる。
【０００９】
これらの動作から分かるように、従来の液晶表示装置では、入力された入力データを１本のラッチパルスで保持する為、図１８に示されるような千鳥方式の液晶パネルの駆動を行なうには、図５に示されるように２つの信号ドライバで液晶パネルを駆動する必要がある。
【００１０】
【特許文献１】特開平１１−３３７９１１号公報（第１図、第６図）
【００１１】
【特許文献２】特開２０００−１９３９２９号公報（第９図）
【発明の開示】
【発明が解決しようとする課題】
【００１２】
しかしながら、この特許文献２に開示された液晶表示装置には問題がある。その問題点とは、特許文献２（図５）を見れば明らかなように、液晶パネルの上下に２つの信号ドライバが必要である為、液晶パネル、信号ドライバ、走査ドライバ、その他の部品を含めた液晶表示装置として、物理的に大きくなってしまうことである。
【００１３】
液晶表示装置の物理的な大きさについては、特許文献２（図５）の液晶表示装置のように液晶パネルの上下に信号ドライバを配置する構成から、図９のように信号ドライバを片側に集めて配置することで液晶表示装置の大きさを小さくすることは多少可能であるが、部品点数は変わらないので、コスト面では変化はない。
【００１４】
本発明の目的は、１つの信号ドライバで、千鳥方式の液晶パネルに対応可能であり、装置規模の小さい液晶表示装置を提供することにある。
【課題を解決するための手段】
【００１５】
請求項１記載の液晶表示装置は、複数の液晶画素を行方向及び列方向に接続する複数の信号ライン及び走査ラインがマトリックス状に配列され、前記複数の液晶画素は前記走査ラインを中心に千鳥状に接続された千鳥液晶パネルと、前記信号ラインに画像信号を印加する信号ドライバと、所定の走査信号を順次シフトさせて印加し前記走査ラインを順次選択する走査ドライバで構成され、前記信号ドライバは、表示データである画像信号の１ライン分の画像信号を第１のラッチ信号により保持し出力する第１の画像信号保持手段と、前記第１の画像保持手段から出力された前記１ライン分の画像信号を保持し第２のラッチ信号により前記１ライン分の画像信号の奇数番目の画像信号を奇数番目の信号ラインに出力し、第３のラッチ信号により前記１ライン分の画像信号の偶数番目の画像信号を偶数番目の信号ラインに出力する第２の画像信号保持手段を有することを特徴とする。
【００１６】
請求項２記載の液晶表示装置は、請求項１記載の液晶表示装置の信号ドライバにおいて、前記第２の画像信号保持手段は、前記第１の画像保持手段から出力された前記１ライン分の画像信号を保持し第２のラッチ信号により前記１ライン分の画像信号の偶数番目の画像信号を偶数番目の信号ラインに出力し、第３のラッチ信号により前記１ライン分の画像信号の奇数番目の画像信号を奇数番目の信号ラインに出力することを特徴とする。
【００１７】
請求項３記載の液晶表示装置の駆動方法は、請求項１記載の液晶表示装置の駆動方法であって、所望の表示データの１ライン分の画像信号を保持し、走査ラインを順次走査し前記走査ラインの奇数番目の走査ラインを選択した場合、前記保持された画像信号の奇数番目の画像信号により選択される複数の液晶画素を表示しかつ前記保持された画像信号の偶数番目の画像信号により選択される複数の液晶画素を表示する第１のステップと、前記走査ラインの偶数番目の走査ラインを選択した場合、前記保持された画像信号の偶数番目の画像信号により選択される複数の液晶画素を表示しかつ前記保持された画像信号の奇数番目の画像信号により選択される複数の液晶画素を表示する第２のステップを有し、前記第１のステップと前記第２のステップとを順次繰り返すことにより、液晶画面に所望の画像を表示することを特徴とする。
【００１８】
請求項４記載の液晶表示装置の駆動方法は、請求項２記載の液晶表示装置の駆動方法であって、所望の表示データの１ライン分の画像信号を保持し、走査ラインを順次走査し前記走査ラインの奇数番目の走査ラインを選択した場合、前記保持された画像信号の偶数番目の画像信号により選択される複数の液晶画素を表示しかつ前記保持された画像信号の奇数番目の画像信号により選択される複数の液晶画素を表示する第１のステップと、前記走査ラインの偶数番目の走査ラインを選択した場合、前記保持された画像信号の奇数番目の画像信号により選択される複数の液晶画素を表示しかつ前記保持された画像信号の偶数番目の画像信号により選択される複数の液晶画素を表示する第２のステップを有し、前記第１のステップと前記第２のステップとを順次繰り返すことにより、液晶画面に所望の画像を表示することを特徴とする。
【００１９】
請求項５記載の液晶表示装置は、複数の液晶画素を行方向及び列方向に接続する複数の信号ライン及び走査ラインがマトリックス状に配列され、前記複数の液晶画素はＲＧＢからなるピクセルであり前記走査ラインを中心に少なくとも１ピクセル単位に千鳥状に接続された千鳥液晶パネルと、前記信号ラインに画像信号を印加する信号ドライバと、所定の走査信号を順次シフトさせて印加し前記走査ラインを順次選択する走査ドライバで構成され、前記信号ドライバは、表示データである画像信号の１ライン分の画像信号を第１のラッチ信号により保持し出力する第１の画像信号保持手段と、前記第１の画像保持手段から出力された前記１ライン分の画像信号を保持し第２のラッチ信号により前記１ライン分の画像信号の奇数番目のピクセルの画像信号を奇数番目の信号ラインに出力し、第３のラッチ信号により前記１ライン分の画像信号の偶数番目のピクセルの画像信号を偶数番目の信号ラインに出力する第２の画像信号保持手段を有することを特徴とする。
【００２０】
請求項６記載の液晶表示装置は、請求項５記載の液晶表示装置の信号ドライバにおいて、前記第２の画像信号保持手段は、前記第１の画像保持手段から出力された前記１ライン分の画像信号を保持し第２のラッチ信号により前記１ライン分の画像信号の偶数番目のピクセルの画像信号を偶数番目の信号ラインに出力し、第３のラッチ信号により前記１ライン分の画像信号の奇数番目のピクセルの画像信号を奇数番目の信号ラインに出力することを特徴とする。
【００２１】
請求項７記載の液晶表示装置の駆動方法は、請求項５記載の液晶表示装置の駆動方法であって、所望の表示データの１ライン分の画像信号を保持し、走査ラインを順次走査し前記走査ラインの奇数番目の走査ラインを選択した場合、前記保持された画像信号の奇数番目のピクセルの画像信号により選択される複数の液晶画素を表示しかつ前記保持された画像信号の偶数番目のピクセルの画像信号により選択される複数の液晶画素を表示する第１のステップと、前記走査ラインの偶数番目の走査ラインを選択した場合、前記保持された画像信号の偶数番目のピクセルの画像信号により選択される複数の液晶画素を表示しかつ前記保持された画像信号の奇数番目のピクセルの画像信号により選択される複数の液晶画素を表示する第２のステップを有し、前記第１のステップと前記第２のステップとを順次繰り返すことにより、液晶画面に所望の画像を表示することを特徴とする。
【００２２】
請求項８記載の液晶表示装置の駆動方法は、請求項６記載の液晶表示装置であって、所望の表示データの１ライン分の画像信号を保持し、走査ラインを順次走査し前記走査ラインの奇数番目の走査ラインを選択した場合、前記保持された画像信号の偶数番目のピクセルの画像信号により選択される複数の液晶画素を表示しかつ前記保持された画像信号の奇数番目のピクセルの画像信号により選択される複数の液晶画素を表示する第１のステップと、前記走査ラインの偶数番目の走査ラインを選択した場合、前記保持された画像信号の奇数番目のピクセルの画像信号により選択される複数の液晶画素を表示しかつ前記保持された画像信号の偶数番目のピクセルの画像信号により選択される複数の液晶画素を表示する第２のステップを有し、前記第１のステップと前記第２のステップとを順次繰り返すことにより、液晶画面に所望の画像を表示することを特徴とする。
【００２３】
請求項９記載の液晶表示装置は、請求項１または５記載の液晶表示装置において、
前記第２のラッチ信号のラッチタイミングは前記第１のラッチ信号のラッチタイミングよりも遅く、前記第３のラッチ信号は前記第１のラッチ信号のラッチタイミングよりも早いことを特徴とする。
【００２４】
請求項１０記載の液晶表示装置は、請求項２または６記載の液晶表示装置において、前記第２のラッチ信号のラッチタイミングは前記第１のラッチ信号のラッチタイミングよりも早く、前記第３のラッチ信号は前記第１のラッチ信号のラッチタイミングよりも遅いことを特徴とする。
【発明の効果】
【００２５】
第１の効果は、１つの信号ドライバで液晶パネルを駆動することで、２つの信号ドライバを使用していたときよりも液晶表示装置の物理的な大きさを小さくすることができる。
【００２６】
波及効果として第２の効果は、１つの信号ドライバで液晶パネルを駆動することで液晶表示装置の部品点数の数も減らせることから、実装工程現象によるコスト低減も期待できる。また、信号ドライバ同士の製造バラツキによる画質への影響も無くなる。
【発明を実施するための最良の形態】
【００２７】
画素と操作ラインが千鳥状に接続された千鳥方式の液晶パネルにおいて、信号ラインを駆動する信号ドライバは、第１のラッチ信号により表示データの１ライン分を取り込んで保持し出力するフリップフロップ群（第１の画像信号保持手段）と、第２のラッチ信号により第１の画像信号保持手段の奇数番目の出力または偶数番目の出力のうち一方の出力を取り込み保持してレベルシフタ回路へ出力するフリップフロップと第３のラッチ信号により第１の画像信号保持手段の奇数番目の出力または偶数番目の出力のうち他方の出力を取り込み保持してレベルシフタ回路へ出力するフリップフロップとを含むフリップフロップ群（第２の画像信号保持手段）と、を有して構成される表示データラッチ回路を備える。これにより、従来は奇数番目出力用と偶数番目出力用とで別々に設けていた信号ドライバを１個に統合できる。
【実施例１】
【００２８】
以下、本発明の実施例について図面を参照して詳細に説明する。図１は、本発明の第１の実施例による液晶表示装置の構成を示すブロック図である。図１を参照すると、本発明の液晶表示装置は、液晶パネル１０と、千鳥方式の液晶パネル対応信号ドライバ２００（以下、信号ドライバ２００と略す）と、走査ドライバ３０で構成されている。信号ドライバ２００には、表示データとしての入力データＤ００−Ｄ０７、Ｄ１０−Ｄ１７、Ｄ２０−Ｄ２７が接続されており、液晶パネル１０に対して電圧を出力する信号ラインＤＬ１、ＤＬ２、ＤＬ３、…が接続されている。走査ドライバ３０には液晶パネル１０に対して、走査ラインＳＬ１、ＳＬ２、ＳＬ３、…が接続されている。
【００２９】
次に、図２は、信号ドライバ２００のブロック構成図である。ここで、図２は表示する入力データが液晶パネル１０に出力されるまでの流れを示した図でもあり、本発明の表示データラッチ回路５００は、従来技術の構成（図６）と比較して、表示データラッチ回路に入力されるラッチパルスがラッチパルスＬＰの他に奇数出力用ラッチパルスＬＰ＿ＯＤＤと偶数出力用ラッチパルスＬＰ＿ＥＶＮの２本が追加されているところに特徴がある。
【００３０】
図２を参照すると、信号ドライバ２００は、１ライン分の表示データをラッチするラッチパルスＬＰと、ラッチパルスＬＰによってラッチされた１ライン分の表示データのうち、奇数信号ライン出力に対応する表示データだけをラッチする奇数出力用ラッチパルスＬＰ＿ＯＤＤと、ラッチパルスＬＰによってラッチされた１ライン分の表示データのうち、偶数信号ライン出力に対応する表示データだけをラッチする偶数出力用ラッチパルスＬＰ＿ＥＶＮとを入力し、１ライン分の表示データを千鳥方式の液晶パネルに対応したタイミングで表示データを出力する表示データラッチ回路５００と、表示データを駆動電源レベルにレベルシフトするレベルシフタ回路６０と、表示階調電圧Ｖ０、Ｖ１、Ｖ２…を基に駆動電源レベルにレベルシフトされた表示データをデジタル−アナログ変換処理をするＤ／Ａコンバータ回路７０と、デジタル−アナログ変換処理された表示データをバッファリングし液晶パネル１０に出力する出力バッファ８０で構成されている。
【００３１】
さらに、表示データラッチ回路５００の内部構成について、図３を用いて説明する。ここで、本発明の表示データラッチ回路５００は、従来技術の構成（図６）と比較してフリップフロップ群７７７が１ライン分追加され、フリップフロップ群７７７には奇数出力用ラッチパルスＬＰ＿ＯＤＤと偶数出力用ラッチパルスＬＰ＿ＥＶＮが交互に入力されているところに特徴がある。
【００３２】
表示データラッチ回路５００は、液晶表示回路装置の記憶装置またはシフトレジスタから入力された表示データとラッチパルスＬＰを入力し１ライン分の表示データをラッチするフリップフロップ群７７と、奇数信号ライン出力に対応する表示データをラッチする奇数出力用ラッチパルスＬＰ＿ＯＤＤと偶数信号ライン出力に対応する表示データをラッチする偶数出力用ラッチパルスＬＰ＿ＥＶＮとを入力し、フリップフロップ群７７でラッチされた１ライン分の表示データのうち、奇数信号ライン出力及び偶数信号ラインに対応する表示データを出力するフリップフロップ群７７７で構成されている。
【００３３】
本発明の液晶表示装置の動作について、図２、図３、図４を用いて説明する。液晶パネル１０は、走査ラインによって選択されたラインの液晶画素に信号ラインより電圧（表示データ）が印加されることで、表示色が決まる。
【００３４】
図２、図３、図４を参照すると、液晶表示装置の記憶装置またはシフトレジスタから入力された１ライン目表示データは、信号ドライバ２００内の表示データラッチ回路５００のフリップロップ群７７に入力されるとラッチパルスＬＰの立ち上がりでラッチされ、フリップフロップ群７７７に出力される。出力された１ライン目表示データは、奇数出力用ラッチパルスＬＰ＿ＯＤＤの立ち上がりでラッチされ、奇数信号ライン表示データとしてレベルシフト回路６０へ出力される。出力された奇数信号ライン表示データは、レベルシフト回路６０で駆動電源レベルにレベルシフトされＤ／Ａコンバータ回路７０にてデジタル−アナログ変換処理出力され（図示せず）、出力バッファを介して液晶パネル１０の奇数信号ラインＤＬ１、ＤＬ３…  ＤＬｍ（ｍは奇数の整数）に出力される。同様にフリップフロップ群７７７から出力された１ライン目表示データは、偶数出力用ラッチパルスＬＰ＿ＥＶＮの立ち上がりでラッチされ、偶数信号ライン表示データとしてレベルシフト回路６０へ出力される。出力された偶数信号ライン表示データは、レベルシフト回路６０で駆動電源レベルにレベルシフトされＤ／Ａコンバータ回路７０にてデジタル−アナログ変換処理出力され（図示せず）、出力バッファを介して液晶パネル１０の奇数信号ラインＤＬ２、ＤＬ４…  ＤＬｎ（ｎは偶数の整数）に出力される。
【００３５】
次に、図１３に示す千鳥方式の液晶パネルを用いた場合について説明する。まず、走査ドライバ３０の走査ラインＳＬ１により液晶パネル１０に接続された複数の画素を選択する。フリップフロップ群７７７に入力される１ライン目の表示データは、奇数出力用ラッチパルスＬＰ＿ＯＤＤの立ち上がりでラッチされ、前述の処理（レベルシフト〜バッファリング）後、奇数信号ライン表示データ（電圧）として信号ドライバ２００により液晶パネル１０の奇数信号ラインＤＬ１、ＤＬ３…ＤＬｍに印加し、１ライン目の奇数番目の液晶画素を表示させる。
【００３６】
次に、走査ドライバ３０の走査ラインＳＬ２により液晶パネル１０に接続された画素を選択する。フリップフロップ群７７７に出力された１ライン目の表示データは、偶数出力用ラッチパルスＬＰ＿ＥＶＮの立ち上がりでラッチされ、同様に前述の処理後、偶数信号ライン表示データ（電圧）として信号ドライバ２００により液晶パネル１０の偶数信号ラインＤＬ２、ＤＬ４…ＤＬｎに印加し、１ライン目の偶数番目の液晶画素を表示させ、１ライン目表示データによる１ライン目の液晶画素の表示が完了する。そして、フリップフロップ群７７７に入力される２ライン目表示データは、奇数出力用ラッチパルスＬＰ＿ＯＤＤの立ち上がりでラッチされ、前述の処理後、奇数信号ライン表示データとして信号ドライバ２００により液晶パネル１０の奇数信号ラインＤＬ１、ＤＬ３…  ＤＬｍに印加し、２ライン目の奇数番目の液晶画素を表示させる。
【００３７】
さらに、走査ドライバ３０の走査ラインＳＬ３により液晶パネル１０に接続された画素を選択する。フリップフロップ群７７７に出力された２ライン目の表示データは、偶数出力用ラッチパルスＬＰ＿ＥＶＮの立ち上がりでラッチされ、同様に前述の処理（レベルシフト〜バッファリング）後、偶数信号ライン表示データ（電圧）として信号ドライバ２００により液晶パネル１０の偶数信号ラインＤＬ２、ＤＬ４…  ＤＬｎに印加し、２ライン目の偶数番目の液晶画素を表示させ、２ライン目表示データによる２ライン目の液晶画素の表示が完了する。そして、フリップフロップ群７７７に出力された３ライン目表示データは、奇数出力用ラッチパルスＬＰ＿ＯＤＤの立ち上がりでラッチされ、前述の処理後、奇数信号ライン表示データとして信号ドライバ２００により液晶パネル１０の奇数信号ラインＤＬ１、ＤＬ３…  ＤＬｍに印加し、３ライン目の奇数番目の液晶画素を表示させる。
【００３８】
３ライン目の偶数表示データ以降は、同様の処理が繰り返し行われ、液晶パネル１０に所望の画像が表示される。
【００３９】
以上のように、ラッチパルスＬＰの立ち上りエッジの後に奇数出力用ラッチパルスＬＰ＿ＯＤＤの立ち上がりを、ラッチパルスＬＰの立ち上りエッジの前に偶数出力用ラッチパルスＬＰ＿ＥＶＮの立ち上がりを発生させることで、奇数信号ラインの出力の出力と偶数信号ラインの出力とが１走査ライン分ずれる為、千鳥方式の液晶パネルに対応することができる。
【実施例２】
【００４０】
次に、本発明の第２の実施例について図面を参照して詳細に説明する。図１３は、千鳥方式の液晶パネルにおいて、１番目の走査ラインＳＬ１に、奇数番目の信号ラインに接続される液晶画素が接続されている形式のイメージ図である。図１４は、千鳥方式の液晶パネルにおいて、１番目の走査ラインＳＬ１に、偶数番目の信号ラインに接続される液晶画素が接続されている形式のイメージ図である。
【００４１】
ここで、第１の実施例で述べたのは図１３で示されるタイプの液晶パネルである。図１３と図１４に示すように、走査ラインと画素の接続形式の違いから、千鳥方式の液晶パネルにも２タイプある。
【００４２】
第２の実施例として、図１４に示す液晶パネルにも対応させたのが図１０に示す信号ドライバの動作のタイミングチャートである。第１の実施例との違いは、奇数出力用ラッチパルスＬＰ＿ＯＤＤと偶数出力用ラッチパルスＬＰ＿ＥＶＮの論理を逆にしている点である。論理を逆にすることで、ラッチパルスＬＰの立ち上りエッジと奇数出力用ラッチパルスＬＰ＿ＯＤＤの立ち上りエッジと偶数出力用ラッチパルスＬＰ＿ＥＶＮの立ち上がりエッジの前後関係が入れ替わり、図１４に示す千鳥方式の液晶パネルにも対応可能となる。
【００４３】
回路構成を奇数出力用ラッチパルスＬＰ＿ＯＤＤと偶数出力用ラッチパルスＬＰ＿ＥＶＮの論理を逆にした以外、動作は第１の実施例と同じであるため、説明を省略する。
【００４４】
次に、本発明の第３の実施例について図面を参照して詳細に説明する。千鳥方式の液晶パネルの他に、従来の通常方式の液晶パネルにも対応させたのが、図１１に示すタイミングチャートである。第１の実施例との違いは、奇数出力用ラッチパルスＬＰ＿ＯＤＤと偶数出力用ラッチパルスＬＰ＿ＥＶＮの論理を同じにしただけである。論理を同じにすることにより、１走査ライン上の画素に１走査ラインの表示データを同時に印加する通常方式の液晶パネルにも対応が可能となる。
【００４５】
回路構成を奇数出力用ラッチパルスＬＰ＿ＯＤＤと偶数出力用ラッチパルスＬＰ＿ＥＶＮの論理を同じにした以外、動作は第１の実施例と同じであるため、説明を省略する。
【００４６】
次に、本発明の第４の実施例について図面を参照して詳細に説明する。
前述の第１、第２、及び第３の実施例の他に、図１２に示すような信号ドライバと走査ドライバを１つのＩＣで構成した液晶表示装置においても本件は適用可能である。
【００４７】
次に、本発明の第５の実施例について図面を参照して詳細に説明する。液晶画素単位の千鳥方式の液晶パネルでなく、図１５に示すようなピクセル単位（Ｒ：赤、Ｇ：緑、Ｂ：青の３つの液晶画素を一つのまとまりとしたもの）の千鳥方式の液晶パネルにおいても図１６に示すように、表示データラッチ回路５００における奇数出力用ラッチパルスＬＰ＿ＯＤＤ及び偶数出力用ラッチパルスＬＰ＿ＥＶＮとフリップフロップ群の接続をピクセル単位に変更するだけで対応可能である。
【００４８】
回路構成を表示データラッチ回路５００における奇数出力用ラッチパルスＬＰ＿ＯＤＤ及び偶数出力用ラッチパルスＬＰ＿ＥＶＮとフリップフロップ群の接続をピクセル単位に変更した以外、動作は第１の実施例と同じであるため、説明を省略する。
【図面の簡単な説明】
【００４９】
【図１】本発明の第１の実施例の液晶表示装置の構成を示すブロック図である。
【図２】本発明の第１の実施例における信号ドライバの構成を示すブロック図である。
【図３】本発明の第１の実施例における信号ドライバの表示データラッチ回路の構成を示す図である。
【図４】本発明の第１の実施例における信号ドライバにおいて、入力された表示データが液晶パネルに出力されるまでの信号の流れを示すタイミングチャートである。
【図５】従来の液晶表示装置の構成を示すブロック図である。
【図６】従来の信号ドライバの構成を示すブロック図である。
【図７】従来の信号ドライバの表示データラッチ回路の構成を示す図である。
【図８】従来の信号ドライバにおいて、入力された表示データが液晶パネルに出力されるまでの信号の流れを示すタイミングチャートである。
【図９】従来の液晶表示装置の２つの信号ドライバを液晶パネルの片側に配置した場合のブロック図である。
【図１０】本発明の第２の実施例における信号ドライバにおいて、入力された表示データが液晶パネルに出力されるまでの信号の流れを示すタイミングチャートである。
【図１１】本発明の第３の実施例における信号ドライバにおいて、入力された表示データが液晶パネルに出力されるまでの信号の流れを示すタイミングチャートである。
【図１２】本発明の第４の実施例の液晶表示装置の構成を示すブロック図である。
【図１３】千鳥方式の液晶パネルにおいて、１番目の走査ラインＳＬ１に、奇数番目の信号ラインに接続される液晶画素が接続されている形式のイメージ図である。
【図１４】千鳥方式の液晶パネルにおいて、１番目の走査ラインＳＬ１に、偶数番目の信号ラインに接続される液晶画素が接続されている形式のイメージ図である。
【図１５】本発明の第５の実施例で挙げたピクセル単位の千鳥方式のパネルのイメージ図である。
【図１６】本発明の第５の実施例のピクセル単位の千鳥方式の表示データラッチ回路の図である。
【図１７】通常の液晶パネルの回路図である。
【図１８】千鳥方式の液晶パネルの回路図である。
【符号の説明】
【００５０】
ＤＬ１，ＤＬ２，ＤＬ３    信号ライン
ＳＬ１，ＳＬ２，ＳＬ３    走査ライン
１０  液晶パネル
２０ａ    パネル上側の信号ドライバ
２０ｂ    パネル下側の信号ドライバ
２００    本発明の千鳥方式の液晶パネル対応の信号ドライバ
３０    走査ドライバ
５０    従来の信号ドライバ内の表示データラッチ回路
５００    本発明の表示データラッチ回路
６０    レベルシフタ回路
７０    Ｄ／Ａコンバータ回路
８０    出力バッファ
７７、７７７    フリップフロップ群
２３０    信号ドライバと走査ドライバを一つにした１チップ信号ドライバ
【図１】
2005070294.tif 000003
【図２】
2005070294.tif 000004
【図３】
2005070294.tif 000005
【図４】
2005070294.tif 000006
【図５】
2005070294.tif 000007
【図６】
2005070294.tif 000008
【図７】
2005070294.tif 000009
【図８】
2005070294.tif 000010
【図９】
2005070294.tif 000011
【図１０】
2005070294.tif 000012
【図１１】
2005070294.tif 000013
【図１２】
2005070294.tif 000014
【図１３】
2005070294.tif 000015
【図１４】
2005070294.tif 000016
【図１５】
2005070294.tif 000017
【図１６】
2005070294.tif 000018
【図１７】
2005070294.tif 000019
【図１８】
2005070294.tif 000020